(57)【特許請求の範囲】
【請求項１】
印刷命令を受信する受信手段と、
前記受信手段により受信した印刷命令に基づいて出力画像データを生成する画像データ生成手段と、
動作履歴情報を取得すべき印刷命令を特定するための特定情報を記憶する記憶手段と、
前記受信手段により受信された印刷命令の特定情報が、前記記憶手段に記憶されている特定情報と一致した場合、前記出力画像データを用いて当該印刷命令の画像形成処理を行った際の動作履歴情報を保存する保存手段と、
実行済みの印刷命令の履歴情報の中から、特定情報を設定するための印刷命令を選択する選択手段と、
を備え、
前記記憶手段は、前記選択手段により選択された印刷命令の特定情報を記憶する画像形成装置。
【請求項２】
前記特定情報は、使用者の識別情報、印刷命令を送信した端末装置の識別情報及び印刷命令の識別情報の少なくとも１つ又は複数の組み合わせである請求項１記載の画像形成装置。
【請求項３】
前記保存手段は、前記受信手段により受信された印刷命令の特定情報が、前記記憶手段に記憶されている特定情報と一致した場合、前記出力画像データを用いて当該印刷命令の画像形成処理を行った際の動作履歴情報及び当該印刷命令を関連付けて保存する請求項１または２記載の画像形成装置。
【請求項４】
前記記憶手段は、前記特定情報とともに、前記選択手段により選択された印刷命令の画像形成の設定に関する設定情報及び前記選択手段により選択された印刷命令を実行した際の画像形成装置の状態に関する状態情報を記憶する請求項１から３いずれか１項記載の画像形成装置。
【請求項５】
前記受信手段により受信された印刷命令の特定情報が、前記記憶手段に記憶されている特定情報と一致した場合、前記記憶手段に記憶されている前記設定情報及び前記状態情報を用いて、画像形成処理を実行する請求項４記載の画像形成装置。
【請求項６】
前記受信手段により受信された印刷命令の特定情報が、前記記憶手段に記憶されている特定情報と一致し、前記受信手段により受信された印刷命令の設定情報が、前記記憶手段に記憶されている設定情報と一致しなかった場合、
当該印刷命令を送信した端末装置へと通知を発信する通知手段を有する請求項４記載の画像形成装置。
【請求項７】
前記保存手段へ前記動作履歴情報を保存するために用いられた前記記憶手段に記憶されている特定情報を削除する削除手段を有する請求項１から６いずれか１項記載の画像形成装置。
【請求項８】
印刷命令を受信する受信ステップと、
前記受信ステップにより受信した印刷命令に基づいて出力画像データを生成する画像データ生成ステップと、
動作履歴情報を取得すべき印刷命令を特定するための特定情報を記憶する第１の記憶ステップと、
前記受信ステップにより受信された印刷命令の特定情報が、前記第１の記憶ステップに記憶されている特定情報と一致した場合、前記出力画像データを用いて当該印刷命令の画像形成処理を行った際の動作履歴情報を保存する保存ステップと、
実行済みの印刷命令の履歴情報の中から、特定情報を設定するための印刷命令を選択する選択ステップと、
前記選択ステップにおいて選択された印刷命令の特定情報を記憶する第２の記憶ステップと、
をコンピュータに実行させるためのプログラム。
【発明の詳細な説明】
【技術分野】
【０００１】
本発明は、画像形成装置およびプログラムに関する。
【背景技術】
【０００２】
特許文献１には、任意のホストから印刷ジョブが送られた場合に、プリンタドライバの設定により送られた時のトレイ状況やメモリ使用量等のプリンタの状態データと、どのホストから送られたかおよび送られたジョブの受信データと、受信データにより作られたページイメージデータと、受信データに関する情報と、をハードディスク内に保存可能とした復号デジタル複写機について開示されている。
【０００３】
特許文献２には、障害ログ情報などを、内部の記憶部に保存する場合は暗号化せずに記憶し、外部記憶媒体へ保存する場合はデータを暗号化して記憶する画像形成装置について開示されている。
【０００４】
特許文献３には、クライアントＰＣから送信された印刷データが正常終了されたか否かを検出し、正常終了しないと検出した際は、その原因を判別して、クライアントＰＣより送信された印刷データをファイルサーバに格納し、正常終了しなかった原因とファイルサーバに印刷データを格納した格納位置情報とをクライアントＰＣに電子メールで送信する印刷装置およびその制御方法について開示されている。
【先行技術文献】
【特許文献】
【０００５】
【特許文献１】特開２００３−０５４０８９号公報
【特許文献２】特開２０１１−１０４７９６号公報
【特許文献３】特開２００６−０８８５９１号公報
【発明の概要】
【発明が解決しようとする課題】
【０００６】
従来の画像形成装置では、正常に画像形成処理が終了したが、出力された画像が文字化けしているなど、所望の画像が形成できていなかった場合のログ情報を、障害ログ情報として保存することはできなかった。
【０００７】
本発明の目的は、正常に画像形成処理が終了したが、所望の画像が形成できなかった場合に、該当する画像形成処理に関する動作履歴情報を保存することができる画像形成装置およびプログラムを提供することである。
【課題を解決するための手段】
【０００８】
請求項１に係る本発明は、印刷命令を受信する受信手段と、前記受信手段により受信した印刷命令に基づいて出力画像データを生成する画像データ生成手段と、動作履歴情報を取得すべき印刷命令を特定するための特定情報を記憶する記憶手段と、前記受信手段により受信された印刷命令の特定情報が、前記記憶手段に記憶されている特定情報と一致した場合、前記出力画像データを用いて当該印刷命令の画像形成処理を行った際の動作履歴情報を保存する保存手段と、実行済みの印刷命令の履歴情報の中から、特定情報を設定するための印刷命令を選択する選択手段とを備え、前記記憶手段は、前記選択手段により選択された印刷命令の特定情報を記憶する画像形成装置である。
【００１０】
請求項２に係る本発明は、前記特定情報は、使用者の識別情報、印刷命令を送信した端末装置の識別情報及び印刷命令の識別情報の少なくとも１つ又は複数の組み合わせである請求項１記載の画像形成装置である。
【００１１】
請求項３に係る本発明は、前記保存手段は、前記受信手段により受信された印刷命令の特定情報が、前記記憶手段に記憶されている特定情報と一致した場合、前記出力画像データを用いて当該印刷命令の画像形成処理を行った際の動作履歴情報及び当該印刷命令を関連付けて保存する請求項１または２記載の画像形成装置である。
【００１２】
請求項４に係る本発明は、前記記憶手段は、前記特定情報とともに、前記選択手段により選択された印刷命令の画像形成の設定に関する設定情報及び前記選択手段により選択された印刷命令を実行した際の画像形成装置の状態に関する状態情報を記憶する請求項１から３いずれか１項記載の画像形成装置である。
【００１３】
請求項５に係る本発明は、前記受信手段により受信された印刷命令の特定情報が、前記記憶手段に記憶されている特定情報と一致した場合、前記記憶手段に記憶されている前記設定情報及び前記状態情報を用いて、画像形成処理を実行する請求項４記載の画像形成装置である。
【００１４】
請求項６に係る本発明は、前記受信手段により受信された印刷命令の特定情報が、前記記憶手段に記憶されている特定情報と一致し、前記受信手段により受信された印刷命令の設定情報が、前記記憶手段に記憶されている設定情報と一致しなかった場合、当該印刷命令を送信した端末装置へと通知を発信する通知手段を有する請求項４記載の画像形成装置である。
【００１５】
請求項７に係る本発明は、前記特定情報を削除する削除手段を有する請求項１から６のいずれか記載の画像形成装置である。
【００１６】
請求項８に係る本発明は、印刷命令を受信する受信ステップと、前記受信ステップにより受信した印刷命令に基づいて出力画像データを生成する画像データ生成ステップと、動作履歴情報を取得すべき印刷命令を特定するための特定情報を記憶する記憶ステップと、前記受信ステップにより受信された印刷命令の特定情報が、前記記憶ステップに記憶されている特定情報と一致した場合、前記出力画像データを用いて当該印刷命令の画像形成処理を行った際の動作履歴情報を保存する保存ステップと、を備えた画像形成プログラムである。
【発明の効果】
【００１７】
請求項１に係る本発明によれば、正常に画像形成処理が終了したが、所望の画像が形成できなかった場合に、該当する画像形成処理に関する動作履歴情報を保存することができる画像形成装置を提供することができる。
【００１８】
また、請求項１に係る本発明によれば、実行済みの印刷命令による画像形成処理の動作履歴情報を保存することができる。
【００１９】
請求項２に係る本発明によれば、正常に画像形成処理が終了したが、所望の画像が形成できなかった場合に、該当する画像形成処理に関する動作履歴情報を保存することができる画像形成装置を提供することができる。
【００２０】
請求項３に係る本発明によれば、請求項１または２に係る発明の効果に加えて、該当する画像形成処理に関する印刷命令を、動作履歴情報に関連付けて保存できる。
【００２１】
請求項４に係る本発明によれば、請求項１か３いずれか１項に係る発明の効果に加えて、該当する画像形成処理のより詳細な情報を保存できる。
【００２２】
請求項５に係る本発明によれば、請求項４に係る発明の効果に加えて、該当する画像形成処理の再現性を高めることができる。
【００２３】
請求項６に係る本発明によれば、請求項４に係る発明の効果に加えて、該当する画像形成処理に関する動作履歴情報を間違えることなく保存することができる。
【００２４】
請求項７に係る本発明によれば、請求項１から６いずれか１項に係る発明の効果に加えて、同一の動作履歴情報を重複して保存することを防止できる。
【００２５】
請求項８に係る本発明によれば、正常に画像形成処理が終了したが、所望の画像が形成できなかった場合に、該当する画像形成処理に関する動作履歴情報を保存することができるプログラムを提供することができる。
また、請求項８に係る本発明によれば、実行済みの印刷命令による画像形成処理の動作履歴情報を保存することができる。
【図面の簡単な説明】
【００２６】
【図１】本発明の一実施形態の画像形成装置を用いた画像形成システム構成を示す図である。
【図２】本実施形態に用いられる画像形成装置１０のハードウェア構成を示す図である。
【図３】本実施形態に用いられる画像形成装置１０の機能構成を示す図である。
【図４】本実施形態に用いられる画像形成装置１０のＵＩ装置１５に表示されるジョブ確認画面の一例である。
【図５】本実施形態に用いられる画像形成装置１０のＵＩ装置１５に表示されるジョブ詳細確認画面の一例である。
【図６】本実施形態における動作履歴取得処理のフローチャートである。
【図７】変形例における画像形成装置１０の機能構成を示す図である。
【図８】変形例における動作履歴取得処理のフローチャートである。
【発明を実施するための形態】
【００２７】
以下、図面を参照して、本発明を実施するための形態を説明する。但し、以下に示す各実施形態は、本発明の技術思想を具体化するための画像形成装置及びプログラムを例示するものであって、本発明をこれらに特定することを意図するものではなく、特許請求の範囲に含まれるその他の実施形態のものにも均しく適応し得るものである。
【００２８】
図１は本発明の一実施形態の画像形成装置１０を用いた画像形成システムのシステム構成を示す図である。
本発明の一実施形態に係る画像形成装置１０を用いた画像形成システムは、図１に示されるように、ネットワーク３０により相互に接続された画像形成装置１０及び複数の端末装置２０Ａ〜２０Ｄにより構成される。以後、これら端末装置２０Ａ〜２０Ｄのうちの一つを、代表して端末装置２０と記載する。端末装置２０は、印刷命令を生成して、ネットワーク３０経由にて生成した印刷命令を画像形成装置１０に対して送信する。画像形成装置１０は、端末装置２０から送信された印刷命令である印刷ジョブを受け付けて、印刷ジョブに応じた画像を用紙上に出力する。なお、画像形成装置１０は、印刷（プリント）機能、スキャン機能、複写（コピー）機能、ファクシミリ機能等の複数の機能を有するいわゆる複合機と呼ばれる装置である。
【００２９】
本実施形態に用いられる画像形成装置１０のハードウェア構成を、図２を用いて説明する。図２は本実施形態に用いられている画像形成装置１０のハードウェア構成を示す図である。
【００３０】
画像形成装置１０は、ＣＰＵ１１、メモリ１２、ハードディスクドライブ（ＨＤＤ）等の記憶装置１３、ネットワーク３０を介して外部の装置等との間でデータの送信及び受信を行う送信手段及び受信手段である通信インタフェース（ＩＦ）１４、タッチパネル又は液晶ディスプレイ並びにキーボードを含むユーザインタフェース（ＵＩ）装置１５、スキャナ１６、プリントエンジン１７を有する。これらの構成要素は、制御バス１８を介して互いに接続されている。
【００３１】
ＣＰＵ１１は、メモリ１２または記憶装置１３に格納された制御プログラムに基づいて所定の処理を実行して、画像形成装置１０の動作を制御する。
【００３２】
なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００３３】
図３は、上記の制御プログラムが実行されることにより実現される画像形成装置１０の機能構成を示すブロック図である。
【００３４】
本実施形態の画像形成装置１０は、図３に示されるように、画像データ生成手段であるラスタライズ部１１１、出力部１１２、選択部１１３、動作履歴情報を取得すべき印刷ジョブを特定するための特定情報を記憶する記憶手段である特定情報記憶部１１４、不正ジョブ判別部１１５、保存手段である蓄積部１１６を有する。
【００３５】
ここで、特定情報とは、印刷ジョブを特定するために必要な情報である。たとえば、該当する印刷ジョブを送信した使用者のユーザ名などの使用者識別情報、該当する印刷ジョブを送信した端末装置２０のホスト名、送信元のＩＰアドレスなどの端末識別情報、印刷ジョブのジョブ名などのジョブ識別情報である。
【００３６】
また、不正ジョブとは、画像形成装置１０で正常に画像形成処理が実行されたが、出力された画像がユーザ（使用者）の所望したものとは異なるものであった場合、すなわち出力された画像に文字化け、レイアウトの崩れなどの不具合が発生したときの印刷ジョブである。
【００３７】
ラスタライズ部１１１は、通信ＩＦ１４で受信した印刷命令である印刷ジョブに基づいて出力画像データを生成する。具体的には、通信ＩＦ１４で受信した印刷ジョブのデータ形式を、画像形成に必要な出力画像データ形式へと変換する。
【００３８】
出力部１１２は、ラスタライズ部１１１で変換された出力画像データに基づいて、プリントエンジン１７を用い、用紙などの記録媒体へと画像を出力する。
【００３９】
選択部１１３は、ＵＩ装置１５の操作などで実行済みの印刷ジョブの履歴情報の中から、特定情報を設定するための印刷ジョブを選択する。特定情報記憶部１１４は、選択部１１３で選択された印刷ジョブの特定情報を記憶する。また、本実施形態では特定情報だけでなく、選択された印刷ジョブの印刷設定及び印刷状態を特定情報と関連付けて記憶する。
【００４０】
印刷設定とは、画像形成を行う用紙の大きさである用紙サイズ、画像形成を行う用紙の向きである用紙向き、画像形成に用いる用紙の保管場所である選択トレイ、画像形成に必要な色選択、画像形成の印刷面など、画像形成に必要な設定情報である。印刷状態とは、トレイの用紙有無、インク、トナーの有無など、画像形成装置１０を構成する機能の状態である。
【００４１】
不正ジョブ判別部１１５は、受信した印刷ジョブの特定情報と、特定情報記憶部１１４に記憶されている特定情報と、が一致しているか否かを比較し、受信した印刷ジョブが不正ジョブと一致しているか否かの判別を行う。詳細な動作については後述する。
【００４２】
蓄積部１１６は、不正ジョブ判別部１１５により不正ジョブと一致すると判別された印刷ジョブに基づいて画像形成処理を行った際のログ情報（動作履歴情報）を保存する。また、ログ情報のみではなく、不正ジョブの印刷ジョブ情報を関連付けて保存するよう設定してもよい。
【００４３】
次に、図４、図５を用いて、本実施形態の画像形成装置１０で出力された印刷ジョブを不正ジョブとして登録する場合の動作について説明する。
【００４４】
ＵＩ装置１５の表示画面であるディスプレイには、プリンタ、スキャナ、ＦＡＸ、ジョブ確認など、画像形成装置１０の操作を行うために必要な画像が表示される。ＵＩ装置１５を操作し、ジョブ確認が選択されると、ＵＩ装置１５の表示画面は、図４に示されるジョブ確認画像へと遷移する。
【００４５】
ジョブ確認画像には、複数の項目により画像形成装置１０の受信したジョブが分別されている複数のタブ１７１、タブ１７１で選択された項目に分別されているジョブ一覧を確認できるジョブ一覧領域１７２などが表示される。ジョブには印刷ジョブ以外にもスキャンやＦＡＸなど、画像形成装置１０のその他の機能によるジョブが存在する。
【００４６】
ジョブ一覧領域１７２では、それぞれのジョブについて、ジョブ種別、受信したジョブを送信したユーザ名、受信したジョブのジョブ名、受信したジョブの現在の状態、受信したジョブの頁数を目視確認できる。
【００４７】
画像形成装置１０のユーザは、ジョブ一覧領域１７２に表示されたジョブから、不正ジョブであったジョブ１７３を選択する。
【００４８】
ジョブ確認画像に表示されるジョブから任意のジョブが選択されると、ＵＩ装置１５の表示は、図５に示されるように、ジョブ詳細確認画像へと遷移する。図５はジョブ１７３を選択した場合のジョブ詳細確認画像の一例である。ジョブ詳細確認画像には、識別情報確認領域１５４、設定情報確認領域１５５、実行結果情報確認領域１５６、不正ジョブ登録釦１５７などが表示される。
【００４９】
識別情報確認領域１５４では、印刷ジョブを送信したユーザの識別情報である端末装置２０のユーザ名、印刷ジョブを送信した端末装置の識別情報である端末装置２０のホスト名、送信された印刷ジョブの識別情報であるファイル名などを目視確認できる。この他に、印刷ジョブを送信した端末装置２０のＩＰアドレスなどが表示されていてもよい。
【００５０】
設定情報確認領域１５５では、印刷ジョブ出力における印刷設定である印刷部数、印刷頁、印刷用紙の大きさ、出力時に用いたトレイなどを目視確認できる。この他に、出力時に用いた色や印刷面などが表示されていてもよい。
【００５１】
実行結果情報確認領域１５６では、印刷ジョブの画像出力結果である実行結果、画像出力を行なった日時を目視確認できる。
【００５２】
不正ジョブ登録釦１５７は、現在選択されている印刷ジョブを不正ジョブとして登録する。ユーザが不正ジョブ登録釦１５７を選択することで、該当する印刷ジョブの特定情報、印刷設定及び印刷状態が関連付けられて特定情報記憶部１１４へ記憶される。
【００５３】
本実施形態では不正ジョブ登録釦１５７を選択した際に、特定情報、印刷設定及び印刷状態を全て特定情報記憶部１１４へ記憶するようにしているが、記憶する情報を選択できるように設定してもよい。
【００５４】
次に、図６を用いて本実施形態の画像形成装置１０におけるログ情報（動作履歴情報）取得処理を説明する。図６はログ情報取得処理のフローチャートである。
【００５５】
まず、ネットワーク３０を介して、端末装置２０から送信される印刷命令である印刷ジョブを、通信ＩＦ１４により受信する（ステップＳ０１）。
【００５６】
次に、不正ジョブ判別部１１５によって、受信した印刷ジョブに含まれている特定情報を解析し、特定情報記憶部１１４に記憶されている特定情報と比較し、同一であるか否かを判別する（ステップＳ０２）。
【００５７】
本実施形態では、ユーザ名、ホスト名、送信元のＩＰアドレス、印刷ジョブのジョブ名それぞれについて比較を行い、全て一致した場合に同一であると判別するよう設定している。この他に、ユーザ名、ホスト名、送信元のＩＰアドレス、印刷ジョブのジョブ名のうち少なくとも一つ又はその組み合わせが一致した場合に同一であると判別するよう設定してもよい。また、特定情報のみではなく、印刷設定を同時に解析し、印刷設定も一致した場合、同一であると判別するよう設定してもよい。
【００５８】
ステップＳ０２において、不正ジョブ判別部１１５により、受信した印刷ジョブに含まれている特定情報が、特定情報記憶部１１４に記憶されている特定情報と一致すると判別されると、印刷ジョブに含まれている特定情報を蓄積部１１６へと保存し、履歴取得モードへと移行する（ステップＳ０３）。
【００５９】
また、ステップＳ０２において、不正ジョブ判別部１１５により、受信した印刷ジョブに含まれている特定情報が、特定情報記憶部１１４に記憶されている情報と一致しないと判別されると、ラスタライズ部１１１で印刷ジョブをラスタライズして出力画像データを生成し（ステップＳ０８）、処理を終了する。
【００６０】
ステップＳ０３において、履歴取得モードへと移行した後、画像形成装置１０の印刷設定及び印刷状態を、一致すると判別された特定情報記憶部１１４に記憶されている特定情報と関連付けられている印刷設定及び印刷状態と同一の印刷設定及び印刷状態として再現する（ステップＳ０４）。関連付けられている印刷設定及び印刷状態が存在しない場合、画像形成装置１０で予め定められている初期設定及び現在の印刷状態とする。ここで、印刷状態を実際に再現することは困難であるため、印刷状態を変更せず、ＣＰＵ１１によって、印刷状態を仮想的に再現するよう設定してもよい。
【００６１】
その後、ラスタライズ部１１１で印刷ジョブをラスタライズして出力画像データを生成し（ステップＳ０５）、印刷ジョブ、出力画像データ及びログ情報を、ステップＳ０３で保存した特定情報と関連付けて蓄積部１１６へと保存し、履歴取得モードを解除する（ステップＳ０６）。
【００６２】
履歴取得モードを解除した後に、ステップＳ０４で再現した印刷設定及び印刷状態を、履歴取得モード前のものへと復元し（ステップＳ０７）、処理を終了する。本実施形態ではラスタライズ部１１１による出力画像データ生成処理までとしているが、出力画像データ生成処理終了後、出力部１１２により、出力画像データに基づいて記録媒体へと出力してもよい。また、履歴取得モード終了後、ログ情報の取得に用いた特定情報と、特定情報に関連付けられている印刷設定及び印刷状態を、特定情報記憶部１１４から削除するよう設定してもよい。
【００６３】
［変形例］
図７、図８を用いて本実施形態の画像形成装置における動作履歴取得処理の変形例を説明する。図７は変形例における画像形成装置１０Ａの機能構成を示す図であり、図８は変形例における動作履歴取得処理のフローチャートである。また、上記実施形態と同様のものは同一の符号を付し、説明を省略する。
【００６４】
本変形例において、画像形成装置１０Ａは上記実施形態に加え、通知部１１７を有する。通知部１１７は、通信インタフェース１４を用いてネットワーク３０を介し、端末装置２０へと通知を行う。図８のフローチャートを用い、通知部１１７の処理を詳細に説明する。
【００６５】
ステップＳ０２において、受信した印刷ジョブに含まれている特定情報が、特定情報記憶部１１４に記憶されている特定情報と一致すると不正ジョブ判別部１１５により判別されると、不正ジョブ判別部１１５によって、受信した印刷ジョブに含まれている印刷設定情報を解析し、解析された印刷ジョブに含まれる印刷設定情報と、特定情報記憶部１１４に記憶されている印刷設定情報とを比較し、一致するか否かを判別する（ステップＳ１０１）。
【００６６】
ステップＳ１０１で一致すると判別された場合、ステップＳ０３へと移行する。ステップＳ１０１で一致しないと判別された場合、通知部１１７により、通信インタフェース１４を用いてネットワーク３０を介し、特定情報により特定される端末装置２０へと、印刷設定情報が一致していない旨の通知を行う（ステップＳ１０２）。
【００６７】
この通知を受け、該当する端末装置２０において画像形成処理の続行を許可するか否かの判定が行なわれる（ステップＳ１０３）。画像形成処理の続行が許可された場合、ステップＳ０３へと移行し、許可されない場合、処理を終了する。
【符号の説明】
【００６８】
１０  画像形成装置
１１  ＣＰＵ
１２  メモリ
１３  記憶装置
１４  通信インタフェース（ＩＦ）
１５  ユーザインタフェース（ＵＩ）装置
１６  スキャナ
１７  プリントエンジン
１８  制御バス
２０  端末装置
３０  ネットワーク
１１１  ラスタライズ部
１１２  出力部
１１３  選択部
１１４  特定情報記憶部
１１５  不正ジョブ判別部
１１６  蓄積部
１１７  通知部
【図１】
0006519942.tif 000002
【図２】
0006519942.tif 000003
【図３】
0006519942.tif 000004
【図４】
0006519942.tif 000005
【図５】
0006519942.tif 000006
【図６】
0006519942.tif 000007
【図７】
0006519942.tif 000008
【図８】
0006519942.tif 000009